(57)【特許請求の範囲】
【請求項１】
ディスクへの記録データの上書きが可能なオーバーライト方式のディスク記録装置において、ディスクから読み出した記録データからビットクロックを再生するクロック再生回路と、入力データをディスクに記録すべき記録データに変調するデータ処理を行うエンコーダとを備え、上書きを行う状態において、光学ヘッドからディスクへの記録を行うメインビームと共にこのメインビームに先行して信号トラックをトレースする先行ビームを発生させ、ディスクに以前に記録された記録済みデータを先行ビームにより読み出して前記クロック再生回路によりビットクロックを再生するようにすると共に、前記エンコーダによるデータ処理をビットクロックに同期させて行い、ディスクに記録済みデータに同期してメインビームにより上書きを行うようにしたことを特徴とするディスク記録装置。
【請求項２】
光学ヘッドにメインビームを出射する光源と異なる第２の光源を設け、前記先行ビームをその第２の光源から出射するようにしたことを特徴とする請求項１記載のディスク記録装置。
【発明の詳細な説明】
【０００１】
【発明の属する技術分野】
本発明は、ディスクへの記録信号の上書きが可能なオーバーライト方式のディスク記録装置に関し、特に、記録済みデータと上書きするデータとの同期を確保して上書きを行うディスク記録装置に関する。
【０００２】
【従来の技術】
ディスクへの上書きが可能なオーバーライト方式のディスク記録装置としては、ＣＤ（Compact Disc）ファミリーのＣＤ−ＲＷ（ReWritable）ドライブが知られている。
【０００３】
このＣＤ−ＲＷドライブは、ブランクディスクに形成されているプリグルーブ（Pre-groove）が有する22.05kHzのウォブル（wobble）にＦＭ変調されて記録されたＡＴＩＰ（Absolute Time In Pre-groove）と称される既記録アドレスを参照して記録位置の検出を行うようになっている。
【０００４】
ところで、ディスクに記録される記録データはＡＴＩＰの同期信号に同期され、記録データに含まれるサブコードの同期信号はＡＴＩＰの同期信号に同期されることになる。
【０００５】
しかしながら、ディスクの回転むら等の影響で、ＡＴＩＰの同期信号とサブコードの同期信号との同期ズレが発生し、この同期ズレは所定範囲内で許容されている。
【０００６】
特に、ＣＤ−ＲＷドライブにおける書き込み速度の高速化を図り、スピンドルモータの加減速トルクの不足が生じ易くなると、ＡＴＩＰの同期信号とサブコードの同期信号との同期ズレが発生し易くなる。
【０００７】
【発明が解決しようとする課題】
ディスクへの記録を行う場合、従来どおりＡＴＩＰを参照すると、ＡＴＩＰの同期信号とサブコードの同期信号との同期ズレの影響により、上書きされる記録データを記録済みデータに完全に同期させることは出来ない。
【０００８】
一般的なパケットライト方式により上書きする場合は、上書きされる記録データを記録済みデータに完全に同期させる必要はないが、このパケットライト方式にはＣＤ−ＲＯＭドライブが必ずしも対応していないためにＣＤ−ＲＯＭドライブとの互換性に点からトラックアットワンス（track at once）あるいはセッションアットワンス（session at once）方式により記録することが望ましい。
【０００９】
また、パケットライト方式はパケット間の接続のために７ブロックものリンクブロックを形成する必要があり、ディスクの記録容量の無駄が多いという問題がある。
【００１０】
その為、ディスクに記録データを上書きした際、書き換えの痕跡無しに記録データを上書きすることが可能であれば、ＣＤ−ＲＯＭドライブとの互換性、及びディスクの記録容量の有効活用の点で好ましく、このように書き換えの痕跡無しに記録データを上書きすることが可能ディスク記録装置が望まれている。
【００１１】
このように書き換えの痕跡無しに記録データを上書きする場合、上書きされる記録データを記録済みデータに正確に同期していないと、限定した記録範囲に合致して上書きが行われず、その記録範囲を超えて上書きが行われて記録済みデータの一部が損なわれてしまったり、あるいは予定した記録データが上書きしきれない尻切れが発生してしまう、という問題があった。
【００１２】
本発明は、限定した記録範囲に正確に上書きが出来るように記録済みデータに正確に同期して記録データを上書きすることを目的とする。
【００１３】
【課題を解決するための手段】
本発明は、ディスクから読み出した記録データからビットクロックを再生するクロック再生回路と、入力データをディスクに記録すべき記録データに変調するデータ処理を行うエンコーダとを備え、上書きを行う状態において、光学ヘッドからディスクへの記録を行うメインビームと共にこのメインビームに先行して信号トラックをトレースする先行ビームを発生させ、ディスクに以前に記録された記録済みデータを先行ビームにより読み出して前記クロック再生回路によりビットクロックを再生するようにすると共に、前記エンコーダによるデータ処理をビットクロックに同期させて行い、ディスクに記録済みデータに同期してメインビームにより上書きを行うようにしている。
【００１４】
【実施例】
図１は本発明に係るディスク記録装置の一実施例としてＣＤ−ＲＷドライブの一例を示す回路ブロック図である。
【００１５】
図１において、１はディスクの信号トラックをトレースするレーザービームを出射し、ディスクに対して記録データの書き込み及び読み出しを行う光学ヘッドである。
【００１６】
光学ヘッド１は、２光源を有しており、その２光源の一方によりメインビームを形成し、もう一方の光源を回折により分離してメインビームの前方に配置される先行ビーム及びメインビームの後方に配置される後方ビームを形成している。
【００１７】
これによりメインビームの出力が回折により損失されないようにすると共に、メインビームの出力を記録のために変化させる際にその影響を受けないように先行ビーム及び後方ビームの出力を独立して設定できるようにしている。
【００１８】
メインビーム、先行ビーム及び後方ビームは、図２に示す如く、それぞれ同一信号トラックＴ上に光スポットＳ０、Ｓ１及びＳ２として照射され、ディスクにおけるメインビームの反射ビームは光学ヘッド１に備えられた光検出器の２つの受光領域１ａ，１ｂに分割された第１受光素子に受光され、ディスクにおける先行ビームの反射ビームは前記光検出器の第２受光素子１ｃに受光され、ディスクにおける後方ビームの反射ビームは前記光検出器の第３受光素子１ｄに受光される。
【００１９】
２は前記第１受光素子の各受光領域１ａ，１ｂからそれぞれ得られる各受光出力Ｓａ，ＳｂのＲＦ信号（ラジオ周波信号）を加算及び減算すると共に増幅し、その加算により得られた加算信号及びその減算により得られた減算信号を２値化して出力する第１ＲＦアンプ、３は前記第２受光素子１ｃから得られる受光出力ＳｃのＲＦ信号を増幅し、そのＲＦ信号を２値化して出力する第２ＲＦアンプ、４は前記第３受光素子１ｄから得られる受光出力ＳｄのＲＦ信号を増幅し、そのＲＦ信号を２値化して出力する第３ＲＦアンプ、５は第１ＲＦアンプ２を介して光学ヘッド１の出力をフィードバックし、レーザービームをディスクの信号面に合焦させるフォーカシング制御及びレーザービームをディスクの信号トラックに追従させるトラッキング制御を行うと共に、光学ヘッド１自体をディスクの径方向に送るスレッド送り制御を行うヘッドサーボ回路である。
【００２０】
６は再生時において第１ＲＦアンプ２により演算された加算信号を２値化したデータ（ＥＦＭデータ）を選択する状態に切り換えられると共に、記録時において第２ＲＦアンプ３により２値化されたデータ（ＥＦＭデータ）を選択する状態に切り換えられる選択スイッチ、７は該選択スイッチ６により選択されたデータからビットクロックを再生するクロック再生回路、８は該クロック再生回路７により再生されたビットクロックに同期して第１ＲＦアンプ２から出力される加算信号のデータを復調する信号処理を行うデコーダ、９は第１ＲＦアンプ２から出力されるＥＦＭデータからサブコードを分離し、そのサブコードを復調するサブコード復調回路である。
【００２１】
１０は第１ＲＦアンプ２から出力される減算信号のデータを復調することによりディスクのプリグルーブ（Pre-groove）信号から22.05kHzのウォブル（wobble）成分を抽出し、ディスクの回転制御に必要な成分を生成すると共に、ウォブル成分からＡＴＩＰ（Absolute Time In Pre-groove）を復調するＡＴＩＰ復調回路１１を備えるウォブルデコーダである。
【００２２】
１２は接続端子１３を介して外部に接続されるパソコン等のホスト機器とのデータの受け渡しを制御するインタフェース、１４は該インタフェース１２により受信される受信データをディスクに記録する記録データに変調するエンコーダ、１５はインタフェース１２により受信される受信データをキャッシュし、前記エンコーダ１４によってディスクに記録する記録データに変調処理する際に使用されると共に、ディスクから読み取ったデータをキャッシュし、デコーダ８によってそのデータを復調処理する際に使用されるバッファＲＡＭである。
【００２３】
前記エンコーダ１４は、ＣＤ−ＲＯＭの規格に基づく変調を行うＣＤ−ＲＯＭ変調部とＣＤ−ＤＡの規格に基づく変調を行うＣＤ変調部とを有し、前記ＣＤ−ＲＯＭ変調部は受信データにシンク、ヘッダ、ＣＤ−ＲＯＭデータ用の誤り検出符号のＥＤＣ（Error Detection Code）及び誤り訂正符号のＥＣＣ（Error Correction Code）を付加し、前記ＣＤ変調部は前記ＣＤ−ＲＯＭ変調部を介して出力されたデータにＣＤ方式の誤り訂正符号であるＣＩＲＣ（Cross Interleaved Reed-Solomon Codeの略）処理を施すと共に、サブコードを付加し、かつＥＦＭ（Eight to Fourteen Modulationの略）処理を施し、同期信号を付加する。
【００２４】
１６はエンコーダ１４から出力されるＥＦＭデータの記録データに基づいてディスクへの記録を行うべく光学ヘッド１のレーザー光源を駆動するレーザー駆動回路、１７はエンコーダ１４から出力される記録データと第３ＲＦアンプ４から出力されるＥＦＭデータとを時間的な整合を取る時間調整をして比較し、ディスクに書き込んだ記録データのベリファイを行うベリファイ回路である。
【００２５】
１８はディスクの記録及び再生に係るシステム制御を行うシステム制御回路である。該システム制御回路１８は、サブコード復調回路９により復調されたサブコード（サブＱデータ）における絶対時間情報のサブコードアドレス、及びＡＴＩＰ復調回路１１により復調されたＡＴＩＰにおける絶対時間情報のＡＴＩＰアドレスを選択的に参照してアクセスを制御するアクセス制御手段１９と、バッファＲＡＭ１５に対するデータの書き込み及び読み出しを制御するバッファ制御手段２０と、該バッファ制御手段２０によるバッファＲＡＭ１５のデータ備蓄容量に応じてディスクへの記録データの記録を制御する記録制御手段２１と、該記録制御手段２１により記録データの記録を開始する記録開始位置を検出する記録開始位置検出手段２２と、デコーダ８により抽出されるサブコードの同期信号及びサブコード復調回路９により復調されるサブＱデータを用いて新たにディスクに記録する記録データを既にディスクに記録されている記録データに同期させる同期設定手段２３とを備えている。
【００２６】
このように構成されるディスク記録装置は、インタフェース１２にディスク記録が要求されるデータが受信されると、記録動作が実行される。
【００２７】
記録領域としてディスクの未記録領域が設定される場合、記録動作が実行されると、記録系のシステムクロックが水晶発振精度の基準クロックとなり、エンコーダ１４は基準クロックに同期してデータ処理を行う状態となる。
【００２８】
光学ヘッド１はディスク再生を行うレーザー出力でメインビームによりディスクのプリグルーブ信号を読み取るように制御され、光学ヘッド１から読み取られたプリグルーブ信号は第１ＲＦアンプ２により波形整形された後、ウォブルデコーダ１０によりウォブル成分が抽出され、そのウォブル成分からＡＴＩＰ復調回路１１によりＡＴＩＰが復調されるようになる。
【００２９】
接続端子１３に接続されるホスト機器から記録を要求するデータが送信されると、そのデータはインタフェース１２により受信され、バッファＲＡＭ１５に書き込まれる。
【００３０】
インタフェース１２により受信される受信データは、ブロック単位毎に受信され、バッファＲＡＭ１５に書き込まれたデータのブロック数が予めディスクへの記録を行う記録単位として設定した所定ブロック数に達すると、バッファＲＡＭ１５に書き込まれたデータは、前記所定ブロック数まとめてエンコーダ１４によりディスクに記録するべき形態の記録データに変調される。
【００３１】
光学ヘッド１のメインビームによりトレースされる位置がディスクの書き込み位置に来ると、エンコーダ１４からＥＦＭフレーム単位で記録データが順次出力され、その出力された記録データに対応するアドレスを示すアドレスデータがシステム制御回路１８内に具備されるアドレスメモリ２４に順次更新されて記憶される。
【００３２】
レーザー駆動回路１６はエンコーダ１４から出力された記録データに基づいて光学ヘッド１のレーザー光源を駆動し、それにより記録データのディスクへの記録が行われてゆく。
【００３３】
次に、ディスクに記録データを上書きする際について説明する。
【００３４】
インタフェース１２に上書きを要求するデータが受信されると、記録データを上書きする記録領域が設定され、記録開始検出手段２２により記録データの記録開始位置の検出が行われる。
【００３５】
この記録開始位置の検出が開始されると、アクセス制御手段１６は記録開始位置として設定されたアドレスより所定量手前のアドレスをＡＴＩＰ復調回路１１により復調されるＡＴＩＰによりアクセスする。
【００３６】
そのアクセスが終了されると、光学ヘッド１によるトレースが開始され、光学ヘッド１のメインビームによりディスクに形成されたピット信号が読み取られ、第１ＲＦアンプ２からＥＦＭデータが得られる。
【００３７】
第１ＲＦアンプ２から得られるＥＦＭデータはデコーダ８に入力され、デコーダ８によりサブコードの同期信号が抽出されるようになると共に、サブコード復調回路９によりサブＱデータが復調される。
【００３８】
復調されたサブＱデータは記録開始位置検出手段２２による記録開始位置の検出に用いられ、これによりサブコードフレーム（ＥＦＭフレーム９８単位分の集合）の単位までの検出はサブＱデータのアクセスにより行われる。
【００３９】
また、抽出されたサブコードの同期信号は同期設定手段２３による同期設定に用いられ、これにより新たにディスクに記録する記録データがディスクに記録済みのデータに同期される。
【００４０】
その後、サブＱデータの時間情報におけるＥＦＭフレームの何番目であるかが、同期信号を基準としてチャンネルビットをカウントすることにより行われ、このようにしてＥＦＭフレーム単位の検出が行われて記録開始位置が検出される。
【００４１】
このようにして上書きを行う記録領域の記録開始位置が検出されている間に、インタフェース１２に記録が要求されるデータが受信され、バッファＲＡＭ１３に書き込まれたデータが所定ブロック数まとまると、エンコーダ１４は変調処理動作を再開し、記録データの作成を再開する。
【００４２】
そして、記録開始位置が検出された時点でエンコーダ１４から記録データを出力し、それにより記録データのディスクへの上書きが開始される。
【００４３】
ところで、上書きを実行する際において、選択スイッチ６は図１の実線に示す状態に切り換えられており、クロック再生回路７は第２ＲＦアンプ３から得られるＥＦＭデータからビットクロックを再生するようになっている。
【００４４】
前記第２ＲＦアンプ３には、光学ヘッド１の先行ビームの反射光を受光する第２受光領域１ｃからの受光出力Ｓｃが入力されるので、前記第２ＲＦアンプ３からは先行ビームによって読み出されたピット信号に対応したＥＦＭ信号が出力される。
【００４５】
ディスクに記録データを記録する際において、メインビームの出力は記録パワーと消去パワーとが交互に設定されるが、先行ビームはメインビームとは異なる光源から出射され、記録時においても再生パワーに一定に設定されるので、クロック再生回路７により確実にビットクロックの再生が行える。
【００４６】
その為、メインビームにより記録データをディスクに上書きしている状態であってもクロック再生回路７により記録直前の記録済みデータからビットクロックを再生することが出来る。
【００４７】
前記クロック再生回路７により再生されるビットクロックはデコーダ８及びエンコーダ１４の動作クロックとして用いられ、デコーダ８による復調処理及びエンコーダ１４による変調処理がビットクロックに同期して行われるようになる。
【００４８】
その為、エンコーダ１４からは、ビットクロックに同期して記録データが出力されるようになり、記録済みデータに同期して記録データの上書きが行われる。
【００４９】
したがって、設定した記録領域に正確に上書きを行うことが出来る。
【００５０】
この結果、ディスクに記録データが記録済みデータとの継ぎ目に痕跡無く上書きされ、上書きの記録領域が記録済みデータに連続して再生可能となり、一般的なＣＤ−ＲＯＭドライブとの互換性が確保される。
【００５１】
ところで、ディスクに記録データを記録している最中において、ベリファイ回路１７には、第３ＲＦアンプ４から出力されるＥＦＭ信号が入力されるようになっている。
【００５２】
前記ベリファイ回路１７は、エンコーダ１４から出力される記録データ（ＥＦＭデータ）を遅延させて時間的な整合を取って第３ＲＦアンプ４から出力されるＥＦＭ信号と比較する。
【００５３】
前記第３ＲＦアンプ４には、光学ヘッド１の後方ビームの反射光を受光する第３受光領域１ｄからの受光出力Ｓｄが入力されており、前記第３ＲＦアンプ４からは後方ビームによって読み出されたピット信号に対応したＥＦＭ信号が出力される。
【００５４】
その為、前記第３ＲＦアンプ４からは、ディスクに記録している記録データに応じたＥＦＭ信号が出力される。
【００５５】
したがって、ベリファイ回路１７によりディスクに記録している記録データのベリファイが行われる。
【００５６】
尚、ディスクに記録データを記録する際において、メインビームの出力は記録パワーと消去パワーとが交互に設定されるので、メインビームの受光出力からビットクロックを再生することは困難であるが、メインビームの出力変化分を差し引くことによりメインビームからビットクロックを再生するようにしても良い。このようにした場合、先行ビームが必要なくなると共に、メインビームを回折することにより後方ビームを形成して光学ヘッド１の光源を１つにすることが可能である。
【００５７】
【発明の効果】
以上のとおり、本発明は、ディスクに記録済みデータに同期してエンコーダから記録データを出力し、記録済みデータに同期させて記録データを上書きするようにしているので、限定した記録範囲に正確に上書きが出来、記録範囲を超えて上書きが行われることにより記録済みデータの一部が損なわれてしまったり、あるいは予定した記録データが上書きしきれない事態が防止できる。
【００５８】
この結果、ディスクに記録データを記録済みデータとの継ぎ目に痕跡無く上書きすることが出来、上書きの記録領域が記録済みデータに連続して再生可能となり、一般的なＣＤ−ＲＯＭドライブとの互換性が確保される。
【００５９】
この場合、メインビームに先行する先行ビームによって読み出される記録データからビットクロックを再生することにより上書きの実行中であっても容易にビットクロックを再生することが可能である。
【００６０】
また、メインビームを出射する光源と異なる第２の光源から先行ビームを出射するようにすることによりメインビームにより記録が行われる際に前記先行ビーム出力を一定にすることが出来、ビットクロックの再生が確実に行える。
【図面の簡単な説明】
【図１】本発明に係るディスク記録装置の一実施例としてＣＤ−ＲＷドライブの一例を示す回路ブロック図である。
【図２】光学ヘッドから出射される各光ビームの信号トラックにおける照射状況、及びその各光ビームの反射ビームが受光される光検出器の受光素子を示す図である。
【符号の説明】
１          光学ヘッド
６          選択スイッチ
７          クロック再生回路
８          デコーダ
９          サブコード復調回路
１０          ウォブルデコーダ
１１          ＡＴＩＰ復調回路
１４          エンコーダ
１６          レーザー駆動回路
１８          システム制御回路
１９          アクセス制御手段
２２          記録開始位置検出手段
２３          同期設定手段
【図１】
0003679643.tif 000002
【図２】
0003679643.tif 000003